【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
複数のアクセス端末から、少なくとも１個のアクセスポイントおよび制御器を含むアクセスネットワークへ、ユーザデータ伝送を予定するための方法であって、その方法は、
複数のアクセス端末のサブセットの各々から、ある期間中に送信するための要求を送信し、
アクセスネットワークにおいて、要求に従って複数のアクセス端末のサブセットの少なくとも１個がその期間中に送信することを予定するための決定を行い、そして
少なくとも１個のアクセスポイントから、複数のアクセス端末に決定を送信する
ことを含む方法。
【請求項２】
ここで、複数のアクセス端末のサブセットの各々から、ある期間中に送信するための要求を送信することは、
接続された状態にある複数のアクセス端末のサブセットの各々からある期間中に送信するための要求を送信すること
を含む、請求項１記載の方法。
【請求項３】
ここで、複数のアクセス端末のサブセットの各々から、ある期間中に送信するための要求を送信することは、
アクセス端末のサブセットの各々におけるある期間に対する好機レベルを決定し、そして
好機レベルおよび期間インジケータを送信する
ことを含む、請求項１記載の方法。
【請求項４】
ここで、決定することは、アクセス端末のサブセットの各々におけるあらかじめ設定された期間に対する好機レベルを決定することを含む、そして
ここで、送信することは好機レベルを送信することを含む、請求項３記載の方法。
【請求項５】
ここで、アクセス端末のサブセットの各々におけるある期間に対する好機レベルを決定することは、
その期間中の逆方向リンクチャネルの瞬時的な品質メトリック、逆方向リンクチャネルの平均品質メトリック、および関数に従って好機レベルを決定する
ことを含む、請求項３記載の方法。
【請求項６】
ここで、その期間中の逆方向リンクチャネルの瞬時的な品質メトリック、逆方向リンクチャネルの平均品質メトリック、および関数に従って好機レベルを決定することは、
その期間中の逆方向リンクチャネルの瞬時的な品質メトリック、逆方向リンクチャネルの平均品質メトリック、および切望関数に従って好機レベルを決定する
ことを含む、請求項５記載の方法。
【請求項７】
ここで、切望関数を決定することは、
最大の許容可能な伝送遅延、
アクセス端末における列をなすパケットの数、および
逆方向リンクの平均スループット
を含むグループから選択された要素に従って実行される、請求項６記載の方法。
【請求項８】
ここで、切望関数を決定することは、ユーザの特質によって修正された要素に従って実行される、請求項７記載の方法。
【請求項９】
ここで、その期間中の逆方向リンクチャネルの瞬時的な品質メトリック、逆方向リンクチャネルの平均品質メトリック、および関数に従って好機レベルを決定することは、
あらかじめ設定された期間中の逆方向リンクパイロットチャネルの瞬時的な品質メトリック、逆方向リンクパイロットチャネルの平均品質メトリック、および関数に従って好機レベルを決定する
ことを含む、請求項５記載の方法。
【請求項１０】
ここで、アクセスネットワークにおいて、要求に従って複数のアクセス端末のサブセットの少なくとも１個が、その期間中送信することを予定するための決定を行うことは、
最高の好機レベルを報告しているアクセス端末に対して優先権を与え、
いくつかのアクセス端末が同一の好機レベルを報告する場合は、より低い送信されたスループットを有するアクセス端末に優先権を与え、そして
好機レベルに従って優先権が確立できない場合は、アクセス端末をランダムに予定する
ことを含む、請求項３記載の方法。
【請求項１１】
ここで、アクセスネットワークにおいて、要求に従って複数のアクセス端末のサブセットの少なくとも１個が、その期間中に送信することを予定するための決定を行うことは、
複数のアクセス端末のサブセットの少なくとも１個を予定する、
ことを含む、請求項１記載の方法。
【請求項１２】
ここで、アクセスネットワークにおいて、要求に従って複数のアクセス端末のサブセットの少なくとも１個が、その期間中に送信することを予定するための決定を行うことは、
アクセスネットワーク制御器において決定を行う、
ことを含む、請求項１記載の方法。
【請求項１３】
ここで、アクセスネットワークにおいて、要求に従って複数のアクセス端末のサブセットの少なくとも１個が、その期間中に送信することを予定するための決定を行うことは、
送信のための要求を受信した少なくとも１個のアクセスポイントの各々において決定を行う、
ことを含む、請求項１記載の方法。
【請求項１４】
ここで、少なくとも１個のアクセスポイントから、複数のアクセス端末に決定を送信することは、
要求しているアクセス端末に対して取り扱いアクセスポイントである、少なくとも１個のアクセスポイントの各々から送信することを含む、請求項１記載の方法。
【請求項１５】
ここで、少なくとも１個のアクセスポイントから、複数のアクセス端末に決定を送信することは、
送信を認可された複数のアクセス端末の各々に対してエネルギー値を表示している信号を送信し、
送信を拒否された複数のアクセス端末の各々に対してゼロエネルギー値を表示している信号を送信する
ことを含む、請求項１記載の方法。
【請求項１６】
ここで、送信を認可された複数のアクセス端末の各々に対してエネルギー値を表示している信号を送信することは、
送信を認可された複数のアクセス端末の各々に対して第１のエネルギー値を表示している信号を送信し、
再送信を認可された複数のアクセス端末の各々に対して第２のエネルギー値を表示している信号を送信する、
ことを含む、請求項１５記載の方法。
【請求項１７】
さらに、
決定に従って複数のアクセス端末からユーザデータを送信することを含む、請求項１記載の方法。
【請求項１８】
さらに、
送信を認可された複数のアクセス端末の各々からのユーザデータを少なくとも１個のアクセスポイントにおいて受信し、
アクセス端末が送信を次に許可される場合は、そのユーザデータが正しく受信されている複数のアクセス端末の各々に対して、第１のエネルギー値を表示している信号を取り扱いアクセスポイントから送信し、そして
アクセス端末が通信を次に許可される場合は、そのユーザデータが正しく受信されていない複数のアクセス端末の各々に対して、第２のエネルギー値を表示している信号を取り扱いアクセスポイントから送信する
ことを含む、請求項１７記載の方法。
【請求項１９】
さらに、
そのユーザデータが正しく受信されている複数のアクセス端末の各々に対して、第１のエネルギー値を表示している信号を取り扱いしていないアクセスポイントから送信し、そして
そのユーザデータが正しく受信されていない複数のアクセス端末の各々に対して、第２のエネルギー値を表示している信号を取り扱いしていないアクセスポイントから送信する、
ことを含む、請求項１８記載の方法。
【請求項２０】
さらに、
誤って受信されたユーザデータを記憶し、そして
記憶されたユーザデータを再送信されたユーザデータと結合する
ことを含む、請求項１９記載の方法。
【請求項２１】
ここで、少なくとも１個のアクセスポイントにおいて送信を許可された複数のアクセス端末の各々からのユーザデータを受信することは、
送信を許可された複数のアクセス端末の各々からのユーザデータを、少なくとも１個のアクセスポイントの少なくとも１個のセクタにおいて受信することを含む、請求項１８記載の方法。
【請求項２２】
逆方向リンクチャネルの電力制御のための方法であって、方法は、
第１の逆方向リンクチャネルの送信電力を決定し、
逆方向リンクチャネル上に送信されるべきデータレートに対する、第１の逆方向リンクチャネルに対する逆方向リンクチャネルの送信電力比を決定し、
逆方向リンクチャネルの品質メトリックに従って送信電力比を調整し、そして
調整された送信電力比に従って逆方向リンクチャネル送信電力を計算する
ことを含む方法。
【請求項２３】
ここで、第１の逆方向リンクチャネルの送信電力を決定することは、
第２の逆方向リンクチャネルの品質メトリックに従って、第１の逆方向リンクチャネルの送信電力を決定することを含む、請求項２２記載の方法。
【請求項２４】
ここで、逆方向リンクチャネルの品質メトリックに従って送信電力比を調整することは、
逆方向リンクチャネル上へのユーザデータの再伝送に関する第１に設定された数が失敗であった場合は、第１に設定された量だけ送信電力比を増加することを含む、請求項２２記載の方法。
【請求項２５】
ここで、逆方向リンクチャネルの品質メトリックに従って送信電力比を調整することは、
ユーザデータが逆方向リンクチャネル上に第２の設定された再伝送の数以内で成功のうちに送信されている場合は、第２の決定された量だけ送信電力比を減少する
ことを含む、請求項２２記載の方法。
【請求項２６】
ここで、逆方向リンクチャネルの品質メトリックに従って送信電力比を調整することは、
第１の逆方向リンクチャネルの伝送期間および逆方向リンクチャネルの伝送期間の間のライズオーバーサーマルディフェレンシャルを決定し、
ライズオーバーサーマルディフェレンシャルを調整し、
調整されたライズオーバーサーマルディフェレンシャルに従って送信電力比を調整する
ことを含む、請求項２２記載の方法。
【請求項２７】
ここで、第１の逆方向リンクチャネルの伝送期間および逆方向リンクチャネルの伝送期間の間のライズオーバーサーマルディフェレンシャルを決定することは、
アクセスポイントにおいて、第１の逆方向リンクチャネルの伝送期間中のライズオーバーサーマルを測定し、
アクセスポイントにおいて、逆方向リンクチャネルの伝送期間中のライズオーバーサーマルを測定し、そして
第１の逆方向リンクチャネルの伝送期間中のライズオーバーサーマルおよび、逆方向リンクチャネルの伝送期間中のライズオーバーサーマル間の差を計算する
ことを含む、請求項２６記載の方法。
【請求項２８】
ここで、第１の逆方向リンクチャネルの伝送期間および、逆方向リンクチャネルの伝送期間の間のライズオーバーサーマルディフェレンシャルを決定することは、
アクセス端末においてライズオーバーサーマルディフェレンシャルを推定する
ことを含む、請求項２６記載の方法。
【請求項２９】
ここで、アクセス端末においてライズオーバーサーマルディフェレンシャルを推定することは、
逆方向リンクチャネルの品質メトリックに従って、アクセス端末においてライズオーバーサーマルディフェレンシャルを推定する
ことを含む、請求項２８記載の方法。
【請求項３０】
ここで、逆方向リンクチャネルはトラフィックチャネルを含み、そして
ここで、第１の逆方向リンクチャネルはパイロットチャネルを含む、請求項２２記載の方法。
【請求項３１】
ここで、第２の逆方向リンクチャネルは、データ要求チャネルを含む、請求項２３記載の方法。
【請求項３２】
複数のアクセス端末から、少なくとも１個のアクセスポイントおよび制御器を含むアクセスネットワークへ、ユーザデータ伝送を予定するための装置であって、
複数のアクセス端末のサブセットの各々から、ある期間中に送信するための要求を送信する手段と、
アクセスネットワークにおいて、要求に従って複数のアクセス端末のサブセットの少なくとも１個がその期間中に送信することを予定するための決定を行う手段と、そして
少なくとも１個のアクセスポイントから、複数のアクセス端末に決定を送信する手段と
を含む装置。
【請求項３３】
接続された状態にある複数のアクセス端末のサブセットの各々からある期間中に送信するための要求を送信する手段をさらに含む請求項３２記載の装置。
【請求項３４】
アクセス端末のサブセットの各々におけるある期間に対する好機レベルを決定する手段と、そして
好機レベルおよび期間インジケータを送信する手段と
をさらに含む請求項３２記載の装置。
【請求項３５】
アクセス端末のサブセットの各々におけるある期間に対する好機レベルを決定する手段は、
その期間中の逆方向リンクチャネルの瞬時的な品質メトリック、逆方向リンクチャネルの平均品質メトリック、および関数に従って好機レベルを決定する手段を含む請求項３４記載の装置。
【請求項３６】
複数のアクセス端末のサブセットの少なくとも１個を予定する手段をさらに含む請求項３２記載の装置。
【請求項３７】
逆方向リンクチャネルの電力制御のための装置であって、
第１の逆方向リンクチャネルの送信電力を決定する手段と、
逆方向リンクチャネル上に送信されるべきデータレートに対する、第１の逆方向リンクチャネルに対する逆方向リンクチャネルの送信電力比を決定する手段と、
逆方向リンクチャネルの品質メトリックに従って送信電力比を調整する手段と、そして
調整された送信電力比に従って逆方向リンクチャネル送信電力を計算する手段と
を含む装置。
【請求項３８】
第２の逆方向リンクチャネルの品質メトリックに従って、第１の逆方向リンクチャネルの送信電力を決定する手段をさらに含む請求項３７記載の装置。
【請求項３９】
逆方向リンクチャネル上へのユーザデータの再伝送に関する第１に設定された数が失敗であった場合は、第１に設定された量だけ送信電力比を増加する手段をさらに含む請求項３７記載の装置。
【請求項４０】
ユーザデータが逆方向リンクチャネル上に第２の設定された再伝送の数以内で成功のうちに送信されている場合は、第２の決定された量だけ送信電力比を減少する手段をさらに含む請求項３７記載の装置。
【請求項４１】
第１の逆方向リンクチャネルの伝送期間および逆方向リンクチャネルの伝送期間の間のライズオーバーサーマルディフェレンシャルを決定する手段と、
ライズオーバーサーマルディフェレンシャルを調整する手段と、
調整されたライズオーバーサーマルディフェレンシャルに従って送信電力比を調整する手段と
をさらに含む請求項３７記載の装置。
【手続補正２】
【補正対象書類名】明細書
【補正対象項目名】０００７
【補正方法】変更
【補正の内容】
【０００７】
用語、“加入者局”は、この中では、それとアクセスネットワークが通信するエンティティを意味するために使用される。 ＩＳ‐８５６標準に関しては、加入者局はまたアクセス端末としても参照される。加入者局は移動であり、あるいは固定であるかも知れない。加入者局は、無線チャネルを経由してあるいは、たとえば光ファイバあるいは同軸ケーブル等の有線チャネルを経由して通信する任意のデータデバイスであることが可能である。加入者局はさらに、ＰＣカード、コンパクトフラッシュ（登録商標）、外付けあるいは内蔵モデム、あるいは無線あるいは有線電話を含むしかし限定はされない、いくつかのデバイスの形式の任意のものであることが可能である。基地局とアクティブなトラフィックチャネル接続を確立する過程にある加入者局は、接続セットアップ状態にあるといわれる。基地局とアクティブなトラフィックチャネル接続を確立している加入者局は、アクティブな加入者局といわれ、そしてトラフィック状態にあるといわれる。
【手続補正３】
【補正対象書類名】明細書
【補正対象項目名】００２６
【補正方法】変更
【補正の内容】
【００２６】
図１は、通信システムの概念的線図を示す。これらの通信システムはＩＳ‐８５６標準に従って作成することが可能である。アクセスポイント１００は、順方向リンク１０６（１）上でデータをアクセス端末１０４に送信し、そして逆方向リンク１０８（１）上でアクセス端末１０４からのデータを受信する。同様に、アクセスポイント１０２は、順方向リンク１０６（２）上でデータをアクセス端末１０４に送信し、そして逆方向リンク１０８（２）上でアクセス端末１０４からのデータを受信する。順方向リンク上のデータ伝送は、１個のアクセスポイントから１個のアクセス端末まで、順方向リンクおよび通信システムによってサポートされることが可能な最大のデータレート、あるいはその付近で生起する。順方向リンクの付加的なチャネル、たとえば制御チャネルは、複数のアクセスポイントから１個のアクセス端末に送信されることが可能である。逆方向リンクデータ通信は、１個のアクセス端末から１個あるいはそれ以上のアクセスポイントに生起することが可能である。アクセスポイント１００およびアクセスポイント１０２は、バックハウル１１２（１）および１１２（２）上で制御器１１０に接続される。“バックハウル”は、制御器およびアクセスポイント間の通信リンクである。２個のみのアクセスポイントおよび１個のアクセス端末が図１において示されるが、これは説明のみのためであって、そして通信システムは複数のアクセス端末およびアクセスポイントを含むことが可能である。
【手続補正４】
【補正対象書類名】明細書
【補正対象項目名】００２７
【補正方法】変更
【補正の内容】
【００２７】
アクセス端末がアクセスネットワークにアクセスすることを許可する登録の後に、アクセス端末１０４およびアクセスポイントの１個たとえばアクセスポイント１００は、あらかじめ設定されたアクセス手順を用いて通信リンクを確立する。接続された状態においては、あらかじめ設定されたアクセス手順に起因してアクセス端末１０４は、アクセスポイント１００からのデータおよび制御メッセージを受信することが可能になり、そしてアクセスポイント１００に対してデータおよび制御メッセージを送信することが可能になる。アクセス端末１０４は、引き続いてアクセス端末１０４のアクティブセットに加えられることが可能な他のアクセスポイントを探索する。アクティブセットは、アクセス端末１０４と通信することが可能なアクセスポイントのリストを含む。このようなアクセスポイントが見出される場合は、アクセス端末１０４は、アクセスポイントの順方向リンクに関する、信号対干渉および雑音比（ＳＩＮＲ；signal-to-interference-and-noise ratio）を含むことが可能な品質メトリックを計算する。ＳＩＮＲはパイロット信号に従って決定することが可能である。アクセス端末１０４は、他のアクセスポイントを探索し、そしてアクセスポイントのＳＩＮＲを決定する。同時に、アクセス端末１０４は、アクセス端末１０４のアクティブセット内の各アクセスポイントに対する順方向リンクの品質メトリックを計算する。もしも特定のアクセスポイントからの順方向リンク品質メトリックが、あらかじめ設定された時間に対して、あらかじめ設定された加算しきい値の上にあるかあるいはあらかじめ設定された減算しきい値の下にある場合は、アクセス端末１０４はこの情報をアクセスポイント１００に報告する。アクセスポイント１００からのその後のメッセージは、アクセス端末１０４に、その特定のアクセスポイントをアクセス端末１０４アクティブセットに加え、あるいは除くことを指示するかも知れない。
【手続補正５】
【補正対象書類名】明細書
【補正対象項目名】００３７
【補正方法】変更
【補正の内容】
【００３７】
順方向リンク２００は、フレームの用語で定義される。フレームは１６個のタイムスロット２０２を含み、各タイムスロット２０２は、１．６６ミリ秒のタイムスロット期間に対応する２０４８チップ長さであり、そしてしたがって２６．６６ミリ秒のフレーム期間である。各タイムスロット２０２は、各ハーフタイムスロット２０２Ａ、２０２Ｂの中に送信されたパイロットバースト２０４Ａ、２０４Ｂとともに、２個のハーフタイムスロット２０２Ａ、２０２Ｂに分割される。各パイロットバースト２０４Ａおよび２０４Ｂは９６チップ長さであり、その組み合わせられたハーフタイムスロット２０２ａ、２０２ｂのほぼ中間点におかれる。パイロットバースト２０４Ａ、２０４Ｂは、インデックス０をもったウォルシュカバーによってカバーされたパイロットチャネル信号を含む。順方向媒体アクセス制御チャネル（ＭＡＣ：medium access control channel）２０６は、各ハーフタイムスロット２０２のパイロットバースト２０４の直前および直後に送信される２個のバーストを形成する。ＭＡＣは、６４のウォルシュ符号によって直角にカバーされる６４個までの符号チャネルを含む。各符号チャネルは１および６４の間の値を有するＭＡＣインデックスによって識別され、そして独自の６４のカバーしているウォルシュ符号を識別する。逆方向電力制御チャネル（ＲＰＣ：reverse power control channel）は、各加入者局に対する逆方向リンク信号の電力を調整するために使用される。ＲＰＣは、５および６３の間のＭＡＣインデックスを有する利用可能なＭＡＣの１個に割り当てられる。順方向リンクトラフィックチャネルあるいは制御チャネルペイロードは、第１のハーフタイムスロット２０２Ａの残りの部分２０８Ａおよび、第２のハーフタイムスロット２０２Ｂの残りの部分２０８Ｂの中に送出される。トラフィックチャネルはユーザデータを搬送し、一方制御チャネルは制御メッセージを搬送し、そしてユーザデータもまた搬送することが可能である。制御チャネルは、７６．８ｋｂｐｓあるいは３８．４ｋｂｐｓのデータレートで２５６スロット期間として定義される周期で送信される。トラフィックとしてもまた参照される、用語、ユーザデータは、オーバーヘッドデータ以外の情報である。用語、オーバーヘッドデータは、通信システムにおいてエンティティの操作を可能とする情報、たとえば呼維持シグナリング(call maintenance signaling)、診断および報告情報等である。
【手続補正６】
【補正対象書類名】明細書
【補正対象項目名】００４６
【補正方法】変更
【補正の内容】
【００４６】
取り扱いをしていないアクセスポイントはアクセス端末からの前のパケットを正しく受信する場合は送信のための許可を示している値を発生しそして送信する。したがって、ＰＧチャネル上のこれらの情報はＡＣＫとして役に立つ。取り扱いをしていないアクセスポイントは、アクセス端末からの前のパケットを誤って受信すると、再送信のための許可を示している値を発生しそして送信する。したがってＰＧチャネルからのこれらの情報はＮＡＣＫとして役に立つ。その結果、分離したＡＣＫ／ＮＡＣＫチャネルは必要ない。
【手続補正７】
【補正対象書類名】明細書
【補正対象項目名】００４７
【補正方法】変更
【補正の内容】
【００４７】
たとえば、若干のアクセスポイントがアクセス端末の伝送を正しく受信することに失敗したために、ＰＧチャネル上の情報が消失されあるいは誤って受信されたために、あるいは他の知られた理由のために、アクセス端末がＰＧチャネル上で矛盾した情報を受信することが可能である。アクセスネットワークの観点からは、いずれのアクセスポイントがアクセス端末の伝送を受信したかは重要ではないために、アクセス端末がＰＧチャネル上にいずれかのアクセスポイントからのＡＣＫとして解釈される情報を受信する場合は、例え取り扱いアクセスポイントが古いパケットを再送信するための認可を送出することができる場合でも、アクセス端末は次の伝送許可において新しいパケットを送信する。
【手続補正８】
【補正対象書類名】明細書
【補正対象項目名】００５２
【補正方法】変更
【補正の内容】
【００５２】
限定されたモードにおける操作の場合に、上に記述されたパケット許可順方向リンクチャネルは、送信のための認可を要求しているアクセス端末に対して送信するための許可あるいは拒否を与えるために利用されることが可能である。
同じセルの干渉はまた、時間分割多重化トラフィックチャネルおよび逆方向リンクのオーバーヘッドチャネルによって、そして伝送を要求しているアクセス端末の何れが逆方向リンク期間中に、たとえばフレームあるいはタイムスロットに送信することを許可されるかを計画することによって軽減することが可能である。計画は、アクセスネットワークの部分たとえばマルチセクタセルを考慮に入れることが可能であり、そしてたとえばアクセスポイント制御器によって実行されることが可能である。このような計画方法は、同じセルの干渉のみを軽減する。したがって、代わりとして計画は、全アクセスネットワークを考慮に入れるかも知れず、そしてたとえば制御器１１０によって実行されることが可能である。
【手続補正９】
【補正対象書類名】明細書
【補正対象項目名】００８５
【補正方法】変更
【補正の内容】
【００８５】
アクセス端末がソフトハンドオフにある場合は、パケットは取り扱いをしているセクタによってのみ復号することが可能である。
トラフィックチャネル。
上に定式化された逆方向リンク要求条件に沿って、トラフィックチャネル４０４は、１５３．６ｋｂｐｓから２．４Ｍｂｐｓに亙るデータレートでパケットを送信する。パケットはブロック４０４（２）内で、データレートによって異なるコーディングレートで符号化される。ブロック４０４（２）はコーディングレート１／３あるいは１／５をもつターボ符号化器を含む。ブロック４０４（２）の出力におけるバイナリシンボルのシーケンスは、ブロック４０４（４）によってインターリーブされる。ブロック４０４（４）はビット反転(bit-reversal)チャネルインターリーバを含むかも知れない。データレートおよび符号化器符号レートによって異なるインターリーブされた符号シンボルのシーケンスは、ブロック４０４（６）内において一定した変調シンボルレートを得るために、必要とされる回数だけ反復されそしてブロック４０４（８）に与えられる。ブロック４０４（８）は‘０’バイナリ値をもったシンボルを＋１の値をもつシンボル上に、そして‘１’バイナリ値をもったシンボルを−１の値をもつシンボル上にマップする。マップされたシンボルはそこで、各シンボルをブロック４０４（１２）によって発生されたウォルシュ符号でカバーする、ブロック４０４（１０）に与えられる。
【手続補正１０】
【補正対象書類名】明細書
【補正対象項目名】００８９
【補正方法】変更
【補正の内容】
【００８９】
変調された信号はブロック４２０において濾波され、ブロック４２２において搬送周波数にアップコンバートされ、そして伝送のために与えられる。
逆方向リンク波形。
図４ａ〜ｃおよび上の組み合わせられた文に記述されたチャネル構造によって発生された逆方向リンク５００は、図５ａに示されている。逆方向リンク５００は、フレームに換算して（によって）定義される。フレームは１６個のタイムスロット５０２を含む構造であり、各タイムスロット５０２は、１．６６ミリ秒のタイムスロット期間に対応する２０４８チップの長さであり、そしてしたがって２６．６６ミリ秒のフレーム期間である。各タイムスロット５０２は、各ハーフタイムスロット５０２Ａ、５０２Ｂの中に送信されたオーバーヘッドチャネルバースト５０４Ａ、５０４Ｂをもった２個のハーフタイムスロット５０２Ａ、５０２Ｂに分割される。各オーバーヘッドチャネルバースト５０４Ａ、５０４Ｂは、２５６チップ長さであり、そしてその組み合わせられたハーフタイムスロット５０２Ａ、５０２Ｂの終端に送信される。オーバーヘッドチャネルバースト５０４Ａ、５０４Ｂは、符号分割多重化されたチャネルを含む。これらのチャネルは、第１のウォルシュ符号によってカバーされたパイロットチャネル信号、第２のウォルシュ符号によってカバーされたデータ要求チャネル（ＤＲＣチャネル）、第３のウォルシュ符号によってカバーされたアクセスチャネル（ＡＣＫチャネル）、および第４のウォルシュ符号によってカバーされたパケット要求チャネル（ＰＲチャネル）を含む。
【手続補正１１】
【補正対象書類名】明細書
【補正対象項目名】００９０
【補正方法】変更
【補正の内容】
【００９０】
逆方向リンクトラフィックチャネルペイロードおよび、逆方向レート表示（ＲＲＩ）チャネルは、第１のハーフタイムスロット５０２Ａの残りの部分５０８Ａおよび、第２のハーフタイムスロット５０２Ｂの残りの部分５０８Ｂに送出される。オーバーヘッドチャネルバースト５０４Ａ、５０４Ｂ間のタイムスロット５０２、および逆方向リンクトラフィックチャネルペイロード、およびＲＲＩチャネル５０８Ａ、５０８Ｂの分割は、オーバーヘッドチャネルバースト５０４Ａ、５０４Ｂ期間中のライズオーバーサーマル(rise over thermal)、データスループット、リンクバジェット、および他の適切な基準に従って決定される。
【手続補正１２】
【補正対象書類名】明細書
【補正対象項目名】００９２
【補正方法】変更
【補正の内容】
【００９２】
逆方向リンクチャネルを結合する他の方法、およびしたがって結果となる逆方向リンク波形は、通信システムの設計基準に従って可能であることは正しく評価されるであろう。したがって、上に記述された方法は、高い程度の信頼性をもって復号される必要がある、オーバーヘッドチャネルの一つ、ＲＲＩチャネルを、残っているオーバーヘッドチャネルから分割する。したがって、残っているオーバーヘッドチャネルはＲＲＩチャネルに干渉を与えない。
【手続補正１３】
【補正対象書類名】明細書
【補正対象項目名】００９３
【補正方法】変更
【補正の内容】
【００９３】
ＲＲＩチャネルの復号の信頼性をさらに改善するために、ＲＲＩチャネルに割り当てられたチップの数は一定に保たれる。このことは次に、トラフィックチャネル部分とは異なった電力レベルにあるトラフィック／ＲＲＩチャネルタイムスロット５０８ａ、５０８ｂのＲＲＩチャネル部分に送信されるべき、異なった電力を要求する。このような考慮は、復号器が、ＲＲＩチャネルチップの番号が固定されているという知識およびＲＲＩチャネルが送信された電力に関する知識を利用することから来る、改善された復号特性によって妥当なものとされることが可能である。
【手続補正１４】
【補正対象書類名】明細書
【補正対象項目名】０１０４
【補正方法】変更
【補正の内容】
【０１０４】
取り扱いアクセスポイントは、逆方向リンクを受信し、そしてスロットｎ＋１に含まれた情報を復号する。取り扱いアクセスポイントはそこで、好機レベル、パケットデータ形式、およびデータを送信するための認可を要求しているすべてのアクセス端末に関する要求されたデータレートをスケジューラに与える。予定の決定がなされる後に、取り扱い中のアクセスポイントは予定の決定を、ＰＧチャネル上に送信するための認可を要求しているアクセス端末の各々に対して送信する。図６に示されるように、取り扱いアクセスポイントはアクセス端末に、新しいパケットを送信するための認可を許可している予定の決定ＳＤ＋１を送信する。
【手続補正１５】
【補正対象書類名】明細書
【補正対象項目名】０１２９
【補正方法】変更
【補正の内容】
【０１２９】
アクセス端末８００は図８に示される。順方向リンク信号は、アンテナ８０２によって受信され、そして受信機を含むフロントエンド８０４に発送される。受信機はアンテナ８０２によって与えられた信号を濾波し、増幅し、復調し、そしてディジタイズする。ディジタイズされた信号は、復調されたデータを復号器８０８に与える復調器（ＤＥＭＯＤ）８０６に与えられる。復号器８０８はアクセスポイントにおいてなされた信号処理機能の逆を実行し、そして復号されたユーザデータをデータシンク８１０に与える。復号器はさらに、制御器８１２にオーバーヘッドデータを与えて、制御器８１２と通信する。制御器８１２はさらに、アクセス端末８００の操作に関する通常の制御、たとえばデータ符号化、電力制御を与えるために、アクセス端末８００を含む他のブロックと通信する。制御器８１２は、たとえば、処理装置および、処理装置と結合されたそして処理装置が実行可能な命令のセットを含む、記憶媒体を含むことが可能である。
【手続補正１６】
【補正対象書類名】明細書
【補正対象項目名】０１３０
【補正方法】変更
【補正の内容】
【０１３０】
アクセス端末によって送信されるべきユーザデータは、制御器８１２の命令によってデータソース８１４によって符号化器８１６に与えられる。符号化器８１６はさらに制御器８１２によってオーバーヘッドデータを与えられる。符号化器８１６はデータを符号化し、符号化されたデータを変調器（ＭＯＤ）８１８に与える。符号化器８１６および変調器８１８におけるデータ処理は上の文および図内に記述されたように逆方向リンク発生に従って実行される。処理されたデータはそこで、フロントエンド８０４内の送信機に与えられる。送信機は逆方向リンク信号を変調し、濾波し、増幅し、そしてアンテナ８０２を経て逆方向リンク上を空間に送信する。
【手続補正１７】
【補正対象書類名】明細書
【補正対象項目名】０１３１
【補正方法】変更
【補正の内容】
【０１３１】
制御器９００およびアクセスポイント９０２が図９に示されている。データソース９０４によって発生されたユーザデータは、インタフェースユニットたとえば、パケットネットワークインターフェース、ＰＳＴＮ（図示せず）を経由して制御器９００に与えられる。論じたように、制御器９００は、アクセスネットワークを形成する複数のアクセスポイントとインタフェースする（簡素化のために、図９においてはただ１個のアクセスポイント９０２が示される）。ユーザデータは複数のセレクタエレメントに与えられる（簡素化のために、図９においてはただ１個のセレクタエレメント９０８が示される）。１個のセレクタエレメントは、データソース９０４およびデータシンク９０６、および呼制御処理装置９１０の制御下にある１個あるいはそれ以上の基地局間のユーザデータ交換を制御するために割り当てられる。呼制御処理装置９１０はたとえば、処理装置および処理装置と結合されそして処理装置によって実行可能な命令のセットを含む記憶媒体を含むことが可能である。図９に示されたようにセレクタエレメント９０８は、アクセスポイント９０２によって取り扱われるアクセス端末（図示せず）に、送信されるべきユーザデータを含むデータ列９１４にユーザデータを与える。スケジューラ９１６の制御に従ってユーザデータはデータ列９１４によってチャネルエレメント９１２に与えられる。チャネルエレメント９１２は、ユーザデータをＩＳ‐８５６標準に従って処理し、そして処理されたデータを送信機９１８に与える。データはアンテナ９２２を経て順方向リンク上に送信される。
【手続補正１８】
【補正対象書類名】明細書
【補正対象項目名】０１３２
【補正方法】変更
【補正の内容】
【０１３２】
アクセス端末（図示せず）からの逆方向リンク信号は、アンテナ９２４において受信され、そして受信機９２０に与えられる。受信機９２０は、信号を濾波し、増幅し、復調し、そしてディジタイズし、そしてディジタイズされた信号をチャネルエレメント９１２に与える。チャネルエレメント９１２は、アクセス端末において行われた信号処理機能の逆を実行し、そして復号されたデータをセレクタエレメント９０８に与える。セレクタエレメント９０８は、ユーザデータをデータシンク９０６に、そしてオーバーヘッドデータを呼制御処理装置９１０に発送する。
【手続補正１９】
【補正対象書類名】図面
【補正対象項目名】図４ｃ
【補正方法】変更
【補正の内容】
【図４ｃ】
2005536967.tif 000001
【手続補正２０】
【補正対象書類名】図面
【補正対象項目名】図５ａ
【補正方法】変更
【補正の内容】
【図５ａ】
2005536967.tif 000002
【手続補正２１】
【補正対象書類名】図面
【補正対象項目名】図７
【補正方法】変更
【補正の内容】
【図７】
2005536967.tif 000003